(57)【要約】      （修正有）【課題】高コストと低精度の問題を解決する、姿勢検出装置とネックレスを提供する。【解決手段】姿勢検出装置１０は、ユーザの身体に装着され、感応装置１１、プロセッサ１２およびリマインダー装置１３が含まれている。プロセッサに接続されており、センシング装置はユーザーの体の背中の姿勢の変化に関する情報を取得してプロセッサに送信します。プロセッサはリマインダー装置に接続され、プロセッサはリマインダー信号を生成するために処理します。そして、リマインダー信号をリマインダー信号に応じて振動モードを起動するリマインダー装置に送信し、ユーザーの姿勢情報監視の高コストと低精度の問題を解決し、ユーザーの姿勢情報検出コストを削減し、正解率を向上させる。【選択図】図１
0003235138.tif 000002
【実用新案登録請求の範囲】
【請求項１】
姿勢検出装置は、ユーザの身体に装着されることを特徴とする姿勢検出装置であり、姿勢
検出装置には、感知装置、プロセッサ、スイッチ装置、およびリマインド装置が含まれる
。
感知装置はプロセッサに接続されており、感知装置は、ユーザの体の背中の姿勢の変化に
関する情報を取得し、それをプロセッサに送信する。
プロセッサはリマインダー装置に接続されており、センシング装置はユーザーの体の背中
の姿勢の変化に関する情報を処理し、リマインダー信号を生成し、リマインダー信号をリ
マインダー装置に送信します。リマインダー信号に従ってリマインダーモードを開始しま
す。
スイッチ装置はプロセッサに接続されており、リマインダー装置がリマインダー信号に従
ってリマインダーモードをアクティブした後、スイッチ装置はスイッチ信号を取得してプ
ロセッサに送信する。
スイッチ装置はプロセッサに接続されます。検出器本体を引くことにより、回路は関連す
る角度信号の検出を一時停止し、製品の一時的なシャットダウンリマインダー機能を実現
します。サイレント状態、または回路を閉じるか検出を切り替えてからリマインダーをト
リガーするまでの遅延時間は、製品リマインダーモードの切り替えを実現することです。
プロセッサは、スイッチ信号に従ってリマインダーモードをオフにするようにリマインダ
ーデバイスに指示します。
【請求項２】
権利1により、前記姿勢検出装置は、充電式電池およびワイヤレス充電コイルをさらに備
える。
充電式電池は姿勢検出装置本体に搭載されており、充電式電池はそれぞれプロセッサとワ
イヤレス充電コイルに接続されています。
姿勢検出装置本体にはワイヤレス充電コイルを搭載し、充電式電池の充電にはワイヤレス
充電コイルを使用しています。
【請求項３】
権利1に記載された姿勢検出装置は、表示装置をさらに備え、前記表示装置は、前記プロ
セッサに接続され、表示装置は、姿勢検出装置の動作状態を示す。
【請求項４】
権利1〜3に記載された姿勢検出装置は、ブルートゥース装置をさらに含むのが特徴です。
ブルートゥース装置がプロセッサに接続され、ブルートゥース装置が姿勢検出装置と外接
装置間の通信接続を完了します。
【請求項５】
ネックレスは、ストラップと、ストラップに接続されたネックレス本体とを含み、姿勢検
出装置は、ネックレス本体の空洞内に配置され、姿勢検出装置は、感知装置、プロセッサ
、およびＡを含むことを特徴とするネックレス。リマインダーデバイス；感知デバイスは
プロセッサに接続され、感知デバイスは、ユーザの体の背中の姿勢の変化に関する情報を
取得し、それをプロセッサに送信する。
プロセッサはリマインダー装置に接続されており、センシング装置はユーザーの体の背中
の姿勢の変化に関する情報を取得し、リマインダー信号を生成し、リマインダー信号をリ
マインダー装置に送信します。リマインダー信号により、リマインダーモードは開始され
ます。
【請求項６】
権利5記載された検出装置及びネックレスは、その特徴は、スイッチ装置をさらに備え、
前記リマインダー装置は、リマインダー信号に従ってリマインダーモードを起動した後、
スイッチ信号を取得し、前記プロセッサに送信する。
プロセッサは、スイッチ信号に従ってリマインダーモードをオフにするようにリマインダ
ー装置に指示します。
【請求項７】
権利5に記載された姿勢検出装置は、充電式電池および前記ワイヤレス充電コイルをさら
に備えるのが特徴です。
充電式電池は姿勢検出装置本体に搭載されており、充電式電池はそれぞれプロセッサとワ
イヤレス充電コイルに接続されています。
s 姿勢検出装置本体にはワイヤレス充電コイルを搭載し、充電式電池の充電にはワイヤレ
ス充電コイルを使用しています。
【請求項８】
権利5に記載された姿勢検出装置及びネックレスは、前記表示装置をさらに備えるのが特
徴です。
表示装置はプロセッサに接続されており、表示装置は姿勢検出装置の動作状態を示します
。
【請求項９】
権利5に記載された姿勢検出装置およびネックレスは、ブルートゥース装置をさらに備え
るのが特徴です。
検出器本体を引くことにより、回路は関連する角度信号の検出を一時停止し、製品がリマ
インダー機能を一時的にシャットダウンするか、サイレント状態になるか、回路を閉じる
か、検出からリマインダーをトリガーするまでの遅延時間を切り替えます。つまり、製品
リマインダーモードの切り替えを実現します。ブルートゥースデバイスがプロセッサに接
続され、ブルートゥースデバイスが姿勢検出デバイスと周辺デバイス間の通信接続を完了
します。
【考案の詳細な説明】
【技術分野】
【０００１】
技術領域
001本発明は、自動制御の分野、特に姿勢検出装置およびネックレスに関する。
【背景技術】
【０００２】
バックグラウンドテクニック
002モバイルインターネットの時代、電子端末の普及は人々の健康に多くの問題をもたら
しました。例えば、ますます多くの人々がコンピュータの前で働き、多くの人々が「低頭
族」になりました。 彼らは自分自身を見つけることができないので、良い習慣を持って
いない人々はその過程で頭を下げ、長い間彼らに慣れると後弯や近視などの結果を引き起
こします。 特に、長い間読み書きをしながら成長・発達期にある若者にとって、それは
彼らの将来の生活や仕事に大きな影響を与えるでしょう。
003猫背や近視などの問題では、関連技術で衣服に伸縮性のある素材を追加し、無理に力
を加えて姿勢を矯正しますが、着用や体に不快感を与えるのは非常に面倒です。アプリケ
ーションシナリオにおける大きな制限。 また、健康を損なう姿勢の問題があるかどうか
をユーザーに知らせるためのビデオ画像監視と画像認識もあります。現在、画像監視のコ
ストは高く、正確に特定することはできません。
004関連技術におけるユーザー姿勢情報監視の高コストと低精度の問題に関して、効果的
な解決策はまだ提案されていない。
【考案の概要】
【０００３】
発明内容
005本発明は、背景技術で提起された問題を解決する姿勢検出装置およびネックレスを提
供する。
006上記の目的を達成するために、本発明は以下の技術的解決策を提供する。
007姿勢検出装置、姿勢検出装置は、ユーザの身体に装着され、姿勢検出装置は、感知装
置、プロセッサ、スイッチ装置、およびリマインド装置が含まれている。
008感知装置はプロセッサに接続されており、感知装置は、ユーザの体の背中の姿勢の変
化に関する情報を取得し、それをプロセッサに送信する。
009プロセッサはリマインダー装置に接続されており、センシング装置はユーザーの体の
背中の姿勢の変化に関する情報を取得し、リマインダー信号を生成し、リマインダー信号
をリマインダ装置に送信します。リマインダー装置に従ってリマインダーモードを開始し
ます。
010スイッチ装置はプロセッサに接続されており、リマインド装置がリマインド信号に従
ってリマインドモードを開始した後、スイッチ装置はスイッチング信号を取得してプロセ
ッサに送信する。
011スイッチ装置はプロセッサに接続され、スイッチ装置はプロセッサに接続されます。
検出器本体を引くことにより、回路は関連する角度信号の検出を一時停止し、製品の一時
的なシャットダウンリマインダー機能を実現します。サイレント状態、または回路を閉じ
るか検出を切り替えてからリマインダーをトリガーするまでの遅延時間は、製品リマイン
ダーモードの切り替えを実現することです。
012プロセッサは、スイッチ信号に従ってリマインダーモードをオフにするようにリマイ
ンダー装置に指示します。
013本発明の好ましい技術的解決策として、姿勢検出装置は、充電式電池および無線充電
コイルをさらに含まれている。
014充電式電池は姿勢検出装置の本体に取り付けられており、充電式電池はそれぞれプロ
セッサとワイヤレス充電コイルに接続されています。
015姿勢検出装置本体にはワイヤレス充電コイルを搭載し、充電式電池の充電にはワイヤ
レス充電コイルを使用しています。
016本発明の好ましい技術的解決策として、姿勢検出装置は、表示装置をさらに含み、表
示装置はプロセッサに接続され、表示装置は、姿勢検出装置の動作状態を示す。
017本発明の好ましい技術的解決策として、姿勢検出装置は、ブルートゥース装置をさら
に含み、ブルートゥース装置はプロセッサに接続され、ブルートゥース装置は、姿勢検出
デバイスと周辺デバイスとの間の通信接続を完了する。
018ネックレスは、ストラップと、ストラップに接続されたネックレス本体とを含む。姿
勢検出装置は、ネックレス本体の空洞内に配置される。姿勢検出装置は、感知装置、プロ
セッサ、およびリマインディング装置を含む。感知装置は接続される。ここで、感知装置
は、ユーザの体の背中の姿勢の変化に関する情報を取得し、それをプロセッサに送信する
。
019プロセッサはリマインダー装置に接続されており、センシング装置はユーザーの体の
背中の姿勢の変化に関する情報を取得し、リマインダー信号を生成し、リマインダー信号
をリマインダー装置に送信します。リマインダー信号により、リマインダーモードが開始
になります。
020本発明の好ましい技術的解決策として、姿勢検出装置は、スイッチ装置をさらに含ま
れている。リマインダー装置は、リマインダー信号に従ってリマインダーモードをアクテ
ィブにした後、スイッチ信号を取得し、それをプロセッサに送信する。
021プロセッサは、スイッチ信号に従ってリマインダーモードをオフにするようにリマイ
ンダー装置に指示します。
022本発明の好ましい技術的解決策として、姿勢検出装置は、充電式電池および無線充電
コイルをさらに含まれている。
023充電式電池は姿勢検出装置の本体に取り付けられており、充電式電池はそれぞれプロ
セッサとワイヤレス充電コイルに接続されています。
024姿勢検出装置本体にはワイヤレス充電コイルを搭載し、充電式電池の充電にはワイヤ
レス充電コイルを使用しています。
025本発明の好ましい技術的解決策として、姿勢検出装置は、ディスプレイ装置をさらに
含まれている。
026表示装置はプロセッサに接続されており、表示装置は姿勢検出装置の動作状態を示し
ます。
027本発明の好ましい技術的解決策として、姿勢検出装置はさらにブルートゥース装置が
含まれている。
028検出器本体を引くことにより、回路は関連する角度信号の検出を一時停止し、製品の
一時的なシャットダウンリマインダー機能をサイレント状態で実現するか、回路をオフに
するか、検出からリマインダーをトリガーするまでの遅延時間を切り替えます。 、製品
リマインダーモードの切り替えを実現します。ブルートゥース装置がプロセッサに接続さ
れ、ブルートゥース装置が姿勢検出デバイスと周辺デバイス間の通信接続を完了します。
029本発明は、以下の利点を有する：本発明は、姿勢検出装置およびネックレスを提供し
、姿勢検出装置は、ユーザの身体に装着され、姿勢検出装置は、感知装置、プロセッサお
よびリマインダー装置が含まれている。デバイスとプロセッサに接続され、センシング装
置はユーザーの体の背中の姿勢の変化に関する情報を取得してプロセッサに送信します。
プロセッサはリマインダー装置に接続され、プロセッサは背中の姿勢に関する情報を処理
します。生成するための変更リマインダー信号がリマインダー装置に送信され、リマイン
ダー装置はリマインダー信号に従ってリマインダーモードを開始します。これにより、ユ
ーザーの姿勢情報監視の高コストと低精度の問題が解決され、ユーザーの姿勢情報が減少
します。検出コストにより、正解率が向上し、体の姿勢を修正するようにユーザーに迅速
に通知します。
【図面の簡単な説明】
【０００４】
図面説明
【図１】030図１は、本実用新案の一実施形態による姿勢検出装置の構造ブロック図１である。
【図２】031図２は、実用新案の一実施形態による、ユーザの身体の方向座標の概略図である。
【図３】032図３は、本実用新案の実施形態による姿勢検出装置の構造ブロック図２である。
【図４】033図４は、本実用新案の実施形態による姿勢検出装置の構造ブロック図３である。
【図５】034図５は、本実用新案の実施形態による姿勢検出装置の構造ブロック図４である。
【図６】035図６は、本発明の実施形態によるネックレスの概略図である。
【図７】036図７は、本実用新案の実施形態による姿勢検出装置の回路原理の概略図である。
【図８】037図８は、本実用新案の実施形態による体の姿勢を検出する方法の第１のフローチャートである。
【図９】038図９は、本実用新案の一実施形態による体の姿勢を検出する方法の第２のフローチャートである。
【図１０】039図１０は、本実用新案の一実施形態による体の姿勢を検出する方法の第３のフローチャートである。
【図１１】040図11は、本発明の一実施形態による姿勢検出装置の睡眠方法のフローチャートである。
【図１２】041図１２は、本発明の一実施形態による姿勢検出装置の歩数カウント方法のフローチャートである。
【考案を実施するための形態】
【０００５】
詳細な方法
042本発明の好ましい実施形態を以下に説明する。ここで説明する好ましい実施形態は、
本発明を例示および説明するためにのみ使用され、本発明を限定するために使用されない
ことを理解されたい。
043図１に示すように、姿勢検出装置１０は、ユーザの身体に装着され、姿勢検出装置１
０は、リュックサック、ネックレス、衣服、眼鏡などであり得、姿勢検出装置１０は、感
知装置１１とプロセッサ１２およびリマインダー装置１３が含まれている。
044感知装置１１は、第１の姿勢情報を取得し、第１の姿勢情報をプロセッサ１２に送信
し、ここで、第１の姿勢情報は、ユーザの体の背中の姿勢の変化を示す。感知装置１１は
、３軸センサまたは６軸センサである。例えば、３軸センサは、３つのジャイロスコープ
および３つの加速度計を含み得る。
045図２は、実用新案の一実施形態によるユーザの体の方向座標の概略図である。図２に
示すように、ユーザの体の方向は、正面方向、垂直方向、および側面方向が含まれている
。感知装置１１に検出させる。
046プロセッサ１２は、第１の姿勢情報をプリセットされた標準姿勢情報と比較し、第１
の姿勢情報が標準姿勢情報よりも大きいときにリマインダー信号を生成し、リマインダー
信号をリマインダー装置13に送信する。図11は３軸加速度センサであり、３軸加速度セン
サは、ユーザの体の正面および垂直方向によって形成される平面内の角運動変化が設定さ
れた変化値を超えることを監視し、ユーザが屈曲していると判断される。例えば、角度移
動変化のための角度感知装置11は、20°として検出され、プリセットされた変化値は18°
である。20°が18°より大きい場合、ユーザはハンチバックを持っていると判断される。
図１２は、リマインドデバイス１３へのリマインディング信号を生成する。感知デバイス
１１は、他の方向へのユーザの体の角運動変化も取得でき、それぞれ、ユーザが背中の屈
曲運動をしていることを決定できることに留意されたい。 3つの方向。
047リマインダー装置１３は、リマインダー信号に応じてリマインダーモードを起動する
。リマインダーモードはリマインダー方式に過ぎず、振動するモーター振動、スピーカー
からの音、点滅するライトなどによってユーザーにリマインダーを与えることもできるこ
とに注意されたい。 、リマインダーモードの場合振動モードの場合、姿勢検出装置１０
は、装着者にこぶを思い出させる状態に到達するために、ユーザが感知できる振動感を生
成する。 リマインダーデバイス１３は、線形振動モーターなどの振動フィードバックデ
バイスであり得る。 なお、姿勢検出装置１０は、振動警報を発した後、姿勢を調整する
ことにより姿勢を変更することができ、感知装置１１は、リアルタイムの角運動情報を取
得する。動作情報は標準姿勢情報より少ない。リマインダー装置１３は振動を停止し、ユ
ーザは姿勢検出装置１０のスイッチ装置を制御することにより振動リマインダーを停止す
ることもできる。
048感知装置１１は、上記のユーザーの体に装着された姿勢検出装置１０を通じて、ユー
ザーの体の後ろの姿勢変化情報を取得し、姿勢変化情報を事前設定された標準姿勢情報と
比較することができる。情報の場合、すなわち、ユーザの体の背もたれ姿勢の屈曲姿勢が
一定の角度よりも大きい場合、リマインダー装置１３は、ユーザが腰を下ろした、または
頭を下げたことをユーザに思い出させる。振動等により、ユーザーの姿勢情報監視の高コ
ストと高精度を解決します。低問題は、ユーザーの姿勢情報の検出コストを削減し、正解
率を向上させ、ユーザーに姿勢を修正するように迅速に通知します。体。
049実施形態では、図３は、本実用新案の一実施形態による姿勢検出装置の第２の構造ブ
ロック図である。図３に示すように、姿勢検出同値１０は、スイッチ装置３２をさらに含
む。
050リマインダーデバイス１３がリマインダー信号に従ってリマインダーモードをアクテ
ィブにした後、スイッチデバイス３２はスイッチ信号を取得してプロセッサ１２に送信し
、プロセッサ１２はリマインダーデバイス１３にスイッチ信号に従ってリマインダーモー
ドをオフにするように指示する。 、およびスイッチデバイス３２は、物理ボタンまたは
タッチボタンであり得るので、ユーザは、リマインダーモードを時間内にオフにすること
ができる。例えば、リマインダーモードが振動モードであり、スイッチデバイス３２がタ
ッチボタンである場合、バイブレーションモードがアクティブになった後、ユーザーはタ
ッチに触れますキーを押してバイブレーションモードをオフにします。
051実施形態では、図４は、本実用新案の一実施形態による姿勢検出装置の第３の構造ブ
ロック図である。図４に示すように、姿勢検出装置１０は、充電式電池４２および無線充
電コイル44をさらに含まれている。
052充電式電池４２は、姿勢検出装置１０の本体に取り付けられ、充電式電池４２は、プ
ロセッサ１２および無線充電コイル４４にそれぞれ接続され、無線充電コイル４４は、姿
勢検出装置の本体に取り付けられる。コイル４４は、充電式電池４２を充電するために使
用される。いくつかの特定の用途シナリオでは、姿勢検出装置１０は防水装置であり、外
部充電インターフェースを有さない場合がある。無線充電によってのみ充電することがで
きる。 、姿勢を改善します機器の耐水性を確認してください。 外部充電インターフェー
スの場合、ワイヤレス充電方法も提供され、これにより、ユーザは、より多くの充電方法
から選択することが容易になる。別の実施形態では、姿勢検出デバイス１０は、電源とし
てバッテリによって電力を供給され得る。
053実施形態では、図５は、本実用新案の一実施形態による姿勢検出装置の第４の構造ブ
ロック図である。図５に示すように、姿勢検出装置１０は、表示装置５２をさらに含む。
表示装置５２は装置１２に接続され、表示装置５２は姿勢検出装置１０の動作状態を示す
。例えば、表示装置５２は、電力を表示する液晶ディスプレイであってもよい。姿勢検出
装置１０の検出データも含まれる。姿勢検出装置１０は、プロセッサ１２に接続されたブ
ルートゥース装置５４も含み、ブルートゥース装置５４は、姿勢検出装置と周辺装置との
間の通信接続を完了する。例えば、携帯電話端末は、姿勢検出装置１０に対応するアプリ
ケーションＡＰＰを設置し、ブルートゥース装置５４を介して携帯電話端末と通信するこ
とができる。アプリケーションＡＰＰは、姿勢検出により設定情報および検出情報のデー
タ送信を行うことができる。また、姿勢検出装置１０の通信方法は、ブルートゥースに限
らず、姿勢検出装置１０に対応する通信ハードウェアモジュールを装備した後、ＷｉＦＩ
通信やモバイルなどの通信方法にすることもできる。ユーザーが姿勢検出装置10を制御す
るのに便利な通信ネットワーク。
054実際の用途の実施形態では、姿勢検出装置１０は、ネックレス形状の実体であり得る
。図６に示されるように、ネックレスは、ストラップ６１およびストラップ６１に接続さ
れたネックレス本体６２を含む。（ネックレスペンダント）は、空洞内の姿勢検出装置１
０。姿勢検出装置１０は、感知装置１１、プロセッサ１２、およびリマインダー装置１３
を含み、ストラップ６１、ネックレス本体６２、および人体を介してユーザの首に吊るす
ことができる。密接に接触しています。
055感知装置１１は、第１の姿勢情報を取得し、第１の姿勢情報をプロセッサ１２に送信
する。ここで、第１の姿勢情報は、ユーザの体の背中の姿勢の変化を示す。
056プロセッサ１２は、第１の姿勢情報を事前設定された標準姿勢情報と比較し、第１の
姿勢情報が標準姿勢情報よりも大きいときにリマインダー信号を生成し、リマインダー信
号をリマインダーデバイス１３に送信する。
057リマインダー装置１３は、リマインダー信号に従ってリマインディングモードを開始
する。
058さらに、一実施形態では、図６に示されるように、ネックレス本体６２は、ネックレ
スのハウジング６２１およびネックレスの制御領域６２２を含む。制御領域６２２は、ス
イッチ装置３２を備え得る。物理的なボタンまたはタッチスイッチ。コントロールボタン
は、ユーザーがリマインダーモードを時間内に閉じるのに便利です。たとえば、リマイン
ダーモードが振動モードであり、コントロールエリア622がタッチのタッチセンシティブ
エリアである場合ボタン、振動モードがアクティブ化された後、ユーザは手で制御領域６
２２に触れる。、プロセッサ１２は振動モードをオフにする。
059ネックレスは仕事の際に人の首につけられ、使い方は自然です。 ネックレスシェルの
形状は回路の動作に影響を与えず、ネックレスはそのジュエリーの機能性を高めるために
ペンダントとして装飾することができます。 姿勢検知装置１０は、人間の正しい動作状
態と姿勢変化情報を記録し、リアルタイム監視によりリアルタイムの記録とリマインダー
を実現する。姿勢監視装置１０は、ザトウクジラリマインダー機能を主な機能とし、振動
フィードバックは、自然に静かで、周囲の人々の邪魔をしません。
060実施形態では、図７は、本発明の一実施形態による姿勢検出装置の回路原理の概略図
である。図７に示すように、姿勢検出装置１０は、感知装置１１、プロセッサを含む。図
１２に示すように、リマインディングデバイス１３、充電式バッテリ４２、ブルートゥー
スモジュール５４、および相互作用および制御デバイス７２。充電式バッテリ４２は、電
源コードを介して各デバイスに電力を供給する。図１３に示されるように、相互作用およ
び制御装置７２、ブルートゥースモジュール５４および感知装置１１は、制御用であり、
相互作用および制御装置７２は、低バッテリ中または設定プロセス中にボタンスイッチを
アクティブにするか、ボタンスイッチをオフにすることができる。相互作用および制御装
置７２の表示機能は、赤および緑の青色発光ダイオード（RGB−ＬＥＤ）の表示方法を介
して、電池電力、姿勢情報の感度またはその日の姿勢スコアなどを設定することができる
。
061この実施形態では、ユーザの体に装着される姿勢検出装置１０に適用される体の姿勢
を検出する方法が提供される。姿勢検出装置１０は、感知装置１１、プロセッサ１２、お
よびリマインダー１３が含まれている。
062検出器本体を引くことにより、回路は関連する角度信号の検出を一時停止し、製品は
一時的にリマインダー機能を閉じてサイレント状態になるか、回路を閉じるか、検出から
リマインダーをトリガーするまでの遅延時間を切り替えます。製品リマインダーモード（
感度）の切り替えを実現します。
063図８は、本発明の一実施形態による体の姿勢を検出する方法のフローチャート１であ
る。図８に示すように、この方法は、以下のステップが含まれている。
064ステップＳ８０２：感知装置１１は、第１の姿勢情報を取得し、第１の姿勢情報をプ
ロセッサ１２に送信し、ここで、第１の姿勢情報は、ユーザの体の後ろ向き姿勢の変化を
示す。
065ステップＳ８０４において、プロセッサ１２は、第１の姿勢情報を事前設定された標
準姿勢情報と比較し、第１の姿勢情報が標準姿勢情報より大きい場合、リマインダー信号
を生成し、リマインダー１３にリマインダー信号を送信する。
066ステップＳ８０６において、リマインディング装置１３は、リマインディング信号に
従ってリマインディングモードを開始する。
067以上の検出方法により、ユーザーの体の後ろの姿勢変化情報を取得し、事前設定され
た標準姿勢情報と比較する。姿勢変化情報が標準姿勢情報よりも大きい場合、すなわち、
ユーザーの体の背もたれ姿勢ユーザーの曲げ姿勢が一定の角度を超えると、振動などでこ
ぶやお辞儀をしていることを思い出し、コストが高く精度が低いという問題を解決します
。姿勢情報監視、ユーザーの姿勢情報検出コストの削減、改善精度を向上させるために、
ユーザーは時間内に体の姿勢を修正するように促されます。
068実施形態では、図９は、本実用新案の一実施形態による体位検出方法の第２のフロー
チャートである。図９に示すように、この方法は、以下のステップが含まれている。
069ステップＳ９０２において、プロセッサ１２は、姿勢取得信号を生成し、それを感知
デバイス１１に送信する。
070ステップＳ９０４：感知装置１１は、姿勢取得信号に従って第２の姿勢情報を収集し
、それをプロセッサ１２に送信し、プロセッサ１２は、第２の姿勢に従って標準姿勢情報
を生成する。
071ステップＳ９０２からＳ９０４を介して、ユーザは、初回使用時または使用中に姿勢
検出装置１０を初期化する。標準姿勢情報を設定する必要がある。例えば、初回使用時に
、表示または振動によってユーザに通知する。標準姿勢情報が収集される時間、ユーザは
直立しており、この時点で感知装置１１によって収集される第２の姿勢情報が標準姿勢情
報である。 さまざまなユーザーの姿勢をさらにカスタマイズして、さまざまなユーザー
に適応し、検出の精度を向上させます
072実施形態では、図１０は、本実用新案の一実施形態による体位を検出する方法の第３
のフローチャートである。図１０に示すように、この方法は、以下のステップを含む。
073ステップＳ１００２：第１の事前設定された期間の後、感知デバイス１１は、第３の
姿勢情報を収集し、それをプロセッサ１２に送信する。
074ステップＳ１００４において、３番目の姿勢情報が標準姿勢情報よりも大きい場合、
リマインダー信号が生成され、リマインダー信号がリマインダーデバイス１３に送信され
、リマインダーデバイス１３は、リマインダー信号に従ってリマインダーモードを開始す
る。 3番目の姿勢情報が標準の姿勢情報以下の場合、リマインダー信号は生成されません
。
075ステップＳ１００２からＳ１００４を通じて、ユーザが姿勢検出装置１０を使用する
場合、例えば、何かを選ぶためにかがむなど、いくつかの特別なアプリケーションシナリ
オがあり、したがって、姿勢検出装置１０のトリガー感度を調整する必要がある。 通常
の作業では、リマインダー信号が最初のプリセット期間トリガーされた後、ユーザーの3
番目の姿勢情報が収集され、標準の姿勢情報と比較されます。ただし、一時的なユーザー
の姿勢情報が特別に比較的大きく変化する場合は除きます。この場合、リマインダーモー
ドを開始するためにリマインダーデバイス１３が誤ってトリガーされることが回避される
。
076実施形態では、図１１は、本発明の一実施形態による姿勢検出装置をスリープさせる
方法のフローチャートである。図１１に示すように、この方法は、以下のステップを含む
。
077ステップＳ１１０２において、感知装置１１は、第４の姿勢情報を取得し、それをプ
ロセッサ１２に送信する。
078ステップＳ１１０４：プロセッサ１２は、第４の姿勢情報を第１のプリセット閾値と
比較し、第４の姿勢情報がプリセット閾値よりも大きい場合、姿勢検出デバイス１０は、
スリープモードを開始する。
079ステップＳ１００２からＳ１００４により、ユーザが姿勢検出装置１０を使用する場
合、姿勢検出装置１０を取り外して一定期間使用しないことができる。姿勢検出装置１０
の使用時間を延長して保存するために、例えば、第１のプリセット閾値が８０°であり、
第４の姿勢情報角度が８９°に変化した場合、姿勢検出装置１０は、スリープモードを開
始するか、水平状態が一定時間続いた後、姿勢検出装置１０がスリープモードを再開して
、スリープモードの誤トリガーを回避する。 。
080また、一実施形態では、姿勢検出装置１０は、後弯を監視する際に、特定の範囲内の
空間角度の変化のみを監視し、範囲を超えた後、角度変化を除いて、現在の監視作業を停
止する。 ９０度または０度に近づいています。この設定方法は、状態のこぶリマインダ
ーであり、姿勢検出装置１０の使用時間を長くし、電力を節約することもできる。
081実施形態では、図１２は、本発明の一実施形態による姿勢検出装置の歩数カウント方
法のフローチャートである。図１２に示すように、この方法は、以下のステップを含む。
082ステップＳ１２０２：感知装置１１は、第５の姿勢情報を取得し、それをプロセッサ
１２に送信する。
083ステップＳ１２０４において、プロセッサ１２は、第５の姿勢情報を第２のプリセッ
ト閾値と比較し、第５の姿勢情報が第２のプリセット閾値より大きい場合、プロセッサ１
２はカウントし、カウントはユーザにステップ数を示す。
084姿勢検出装置１０は、歩数計数機能を実装することができる。感知装置１１が３軸加
速度である場合、３軸加速度センサは、姿勢検出装置１０が対応する前進方向の進行加速
度を有することを検出する。重心の方向が2回変化し、一定の周期的な変化を示す場合、
歩行状態での有効な歩数と判断でき、加速度のピークを数えることで歩数計数機能を実現
します。人体の垂直方向の変化。データは、プロセッサ１２によって記録および実行され
て、全ステップカウントアルゴリズムを実現することができる。ステップカウントの有効
性を確保するために、ステップカウントアルゴリズムにトラブルシューティングメカニズ
ムが設定されています。トラブルシューティングメカニズムには次のものが含まれます。
歩行を決定するための条件の1つは、単一の移動位置ではなく連続的に歩くことです。し
たがって、人体の垂直方向に対応する重心の変化は連続的であり、一定の数に達する必要
があります。サイクル;歩行の変動が車に乗るなどの活動の変動よりも大きいため2番目の
条件は、プロセスのピーク加速度変化が特定の値よりも大きい必要があることです。同時
に、歩行の変動が小さいことです。ランニングの変動よりも、3番目の条件では、対応す
る加速度変化のピークが特定の値未満である必要があります。特定の値。人間の歩行速度
の制限と神経反射の制限のため、条件4では次の間隔が必要です。変化のピークは、特定
の時間範囲内にある必要があります。補助機能として、歩数カウントをデータ収集端末と
して使用し、接続された携帯電話に統計データを送信することができます。
085当業者は、上記の実施形態の方法におけるプロセスの全部または一部が、コンピュー
タプログラムを介して関連するハードウェアに指示することによって実施できることを理
解することができる。コンピュータプログラムは、非揮発性のコンピュータ可読ストレー
ジに格納することができる。ここで、コンピュータプログラムが実行されるとき、それは
、上記の方法の実施形態のプロセスを含み得る。ここで、本出願で提供される実施形態で
使用されるメモリ、ストレージ、データベース、または他の媒体への参照は、不揮発性お
よび／または揮発性メモリを含み得る。不揮発性メモリには、読み取り専用メモリ（ROM
）、プログラム可能なROM（PROM）、電気的にプログラム可能なROM（EPROM）、電気的に
消去可能なプログラム可能なROM（EEPROM）、またはフラッシュメモリが含まれる場合が
あります。揮発性メモリには、ランダムアクセスメモリ（RAM）または外部キャッシュメ
モリが含まれる場合があります。限定ではなく例として、RAMは、スタティックRAM（SRAM
）、ダイナミックRAM（DRAM）、同期DRAM（SDRAM）、ダブルデータレートSDRAM（DDRSDRA
M）、拡張SDRAM（ESDRAM）、同期など、さまざまな形式で利用できます。チェーンチャネ
ル（Synchlink）DRAM（SLDRAM）、メモリバス（Rambus）ダイレクトRAM（RDRAM）、ダイ
レクトメモリバスダイナミックRAM（DRDRAM）、メモリバスダイナミックRAM（RDRAM）な
ど。
086最後に、上記は本発明の好ましい実施形態にすぎず、本発明を限定することを意図す
るものではないことに留意されたい。本発明は前述の実施形態を参照して詳細に説明され
てきたが、それでも当業者向けである。前述の実施形態に記載された技術的解決策は、修
正され得るか、または技術的特徴のいくつかが同等に置き換えられ得る。 本発明の精神
および原理の範囲内で行われたいかなる修正、同等の交換、改善なども、本発明の保護範
囲に含まれるべきである。
【図１】
0003235138.tif 000003
【図２】
0003235138.tif 000004
【図３】
0003235138.tif 000005
【図４】
0003235138.tif 000006
【図５】
0003235138.tif 000007
【図６】
0003235138.tif 000008
【図７】
0003235138.tif 000009
【図８】
0003235138.tif 000010
【図９】
0003235138.tif 000011
【図１０】
0003235138.tif 000012
【図１１】
0003235138.tif 000013
【図１２】
0003235138.tif 000014
【手続補正書】
【提出日】令和3年10月5日(2021.10.5)
【手続補正１】
【補正対象書類名】実用新案登録請求の範囲
【補正対象項目名】全文
【補正方法】変更
【補正の内容】
【実用新案登録請求の範囲】
【請求項１】
姿勢検出装置であって、
ユーザの身体に装着され、前記姿勢検出装置は、感知装置、プロセッサ、スイッチ装置、
およびリマインド装置を含み、
プロセッサに、感知装置と、スイッチ装置と、およびリマインド装置と、が接続され、
感知装置はプロセッサに接続されており、感知装置は、ユーザの体の背中の姿勢の変化に
関する情報を取得し、それをプロセッサに送信し、
プロセッサはリマインド装置に接続されており、センシング装置はユーザーの体の背中の
姿勢の変化に関する情報を処理し、リマインダー信号を生成し、リマインダー信号をリマ
インド装置に送信し、リマインダー信号に従ってリマインダーモードを開始し、
スイッチ装置はプロセッサに接続されており、リマインド装置がリマインダー信号に従っ
てリマインダーモードをアクティブした後、スイッチ装置はスイッチ信号を取得してプロ
セッサに送信し、
スイッチ装置はプロセッサに接続され、検出器本体を引くことにより、回路は関連する角
度信号の検出を一時停止し、一時的なシャットダウンリマインダー機能を実現し、サイレ
ント状態、または回路を閉じるか検出を切り替えてからリマインダーをトリガーするまで
の遅延時間は、リマインダーモードの切り替えを実現し、
プロセッサは、スイッチ信号に従ってリマインダーモードをオフにするようにリマインド
装置に指示する、
姿勢検出装置。
【請求項２】
請求項1に記載の姿勢検出装置であって、充電式電池およびワイヤレス充電コイルをさら
に備え、
充電式電池は姿勢検出装置本体に搭載されており、充電式電池はそれぞれプロセッサとワ
イヤレス充電コイルに接続され、
姿勢検出装置本体にはワイヤレス充電コイルを搭載し、充電式電池の充電にはワイヤレス
充電コイルを使用する、
姿勢検出装置。
【請求項３】
請求項1に記載の姿勢検出装置であって、表示装置をさらに備え、前記表示装置は、前記
プロセッサに接続され、表示装置は、姿勢検出装置の動作状態を示す、
姿勢検出装置。
【請求項４】
請求項1に記載の姿勢検出装置であって、ブルートゥース（登録商標）装置をさらに含み
、ブルートゥース（登録商標）装置がプロセッサに接続され、ブルートゥース（登録商標
）装置が姿勢検出装置と外接装置間の通信接続を完了する、
姿勢検出装置。
【請求項５】
請求項1に記載の姿勢検出装置をネックレス形状として形成したネックレスであって、
ネックレスは、ストラップと、ストラップに接続されたネックレス本体と、を含み、
ネックレス本体の空洞内に配置される、感知装置と、プロセッサと、を含み、
感知装置はプロセッサに接続され、感知装置は、ユーザの体の背中の姿勢の変化に関する
情報を取得し、それをプロセッサに送信し、
プロセッサはリマインド装置に接続されており、センシング装置はユーザーの体の背中の
姿勢の変化に関する情報を取得し、リマインダー信号を生成し、リマインダー信号をリマ
インド装置に送信し、リマインダー信号により、リマインダーモードは開始する、
ことを特徴とするネックレス。
【請求項６】
請求項5に記載のネックレスであって、スイッチ装置をさらに備え、前記リマインド装置
は、リマインダー信号に従ってリマインダーモードを起動した後、スイッチ信号を取得し
、前記プロセッサに送信し、
プロセッサは、スイッチ信号に従ってリマインダーモードをオフにするようにリマインド
装置に指示する、
ネックレス。
【請求項７】
請求項5に記載のネックレスは、充電式電池および前記ワイヤレス充電コイルをさらに備
え、
充電式電池は姿勢検出装置本体に搭載されており、充電式電池はそれぞれプロセッサとワ
イヤレス充電コイルに接続され、
姿勢検出装置本体にはワイヤレス充電コイルを搭載し、充電式電池の充電にはワイヤレス
充電コイルを使用する、
ネックレス。
【請求項８】
請求項5に記載のネックレスであって、前記表示装置をさらに備え、
表示装置はプロセッサに接続されており、表示装置は姿勢検出装置の動作状態を示す、
ネックレス。
【請求項９】
請求項5に記載のネックレスであって、ブルートゥース（登録商標）装置をさらに備え、
検出器本体を引くことにより、回路は関連する角度信号の検出を一時停止し、リマインダ
ー機能を一時的にシャットダウンするか、サイレント状態になるか、回路を閉じるか、検
出からリマインダーをトリガーするまでの遅延時間を切り替え、リマインダーモードの切
り替えを実現し、ブルートゥース（登録商標）デバイスがプロセッサに接続され、ブルー
トゥース（登録商標）デバイスが姿勢検出デバイスと周辺デバイス間の通信接続を完了す
る、
ネックレス。